(57)【要約】【課題】商品（例えばマット本体）を効率よく掛け吊り陳列することができ、しかも、商品を吟味する買物客の利便性を向上させることができるマット及び陳列用具を提供する。【解決手段】取付部２，２は、マット本体７１の折目部分を中心とした線対称の位置に取り付けられている。取付部２，２に配されている掛止部３，３は、マット本体７１が折目部分の位置で二つ折りにされた状態で、杆状部材Ｂに掛止される。この結果、マット本体７１は、折り畳まれた状態で杆状部材Ｂに掛け吊り陳列される。買物客は、杆状部材Ｂから掛止部３，３を取り外し、マット本体７１を延べ開けて、マット本体７１の形状及び模様等を吟味する。【選択図】図４
2011120651.tif 000002
【特許請求の範囲】
【請求項１】
二つ折り可能なマット本体と、
夫々が外部の陳列用部材に掛止される２個の掛止部と
を備え、
該２個の掛止部が共に前記陳列用部材に掛止されることによって、前記マット本体が折り畳まれた状態で掛け吊り陳列されるマットであって、
前記２個の掛止部は、前記マット本体が折り畳まれた場合に折目となる部分を中心とした線対称の位置に配されるべくなしてあることを特徴とするマット。
【請求項２】
夫々が前記マット本体の前記線対称の位置に取り付けられている２個の取付部と、
該２個の取付部を連結し、連結した２個の取付部が弧状に接離可能な方向に曲直自在になしてあり、前記折目となる部分に配されている連結部と
を更に備え、
前記２個の掛止部は、前記陳列用部材に掛止される部分が前記マット本体の面方向に夫々沿うよう前記２個の取付部に１個ずつ配されていることを特徴とする請求項１に記載のマット。
【請求項３】
前記マット本体が折り畳まれた場合に互いに対向配置される部分に１個ずつ配されており、互いに係脱自在に係合する２個の係合部を更に備えることを特徴とする請求項１又は２に記載のマット。
【請求項４】
シート状の商品を掛け吊り陳列するための陳列用具において、
夫々が前記商品に取り付けられる２個の取付部と、
該２個の取付部に１個ずつ配されており、夫々が外部の陳列用部材に掛止される２個の掛止部と、
前記２個の取付部を連結し、連結した２個の取付部が弧状に接離可能な方向に曲直自在になしてある連結部と
を備えることを特徴とする陳列用具。
【請求項５】
シート状の商品を掛け吊り陳列するための陳列用具において、
夫々が商品に取り付けられる２個の取付部と、
該２個の取付部に１個ずつ配されており、夫々が外部の陳列用部材に掛止される２個の掛止部と、
前記２個の掛止部夫々又は前記２個の取付部夫々の対応する部分に１個ずつ配されており、互いに係脱自在に係合する２個の係合部と
を備えることを特徴とする陳列用具。
【発明の詳細な説明】
【技術分野】
【０００１】
本発明は、マット本体が折り畳まれた状態で掛け吊り陳列されるマット、及び、シート状の商品を掛け吊り陳列するための陳列用具に関する。
【背景技術】
【０００２】
掛け吊り陳列すべき商品には、一般に、１個の陳列用フックが固定的に取り付けられる。
従来、横桟を有する陳列用枠体が用いられている（特許文献１参照）。販売者は、陳列用フックを陳列用枠体の横桟に掛止することによって、商品を掛け吊り陳列する。
買物客は、陳列用フックを陳列用枠体の横桟から取り外すことによって、商品を陳列用枠体から取り出し、商品を吟味する。商品を購入しない場合、買物客は、陳列用フックを、陳列用枠体の横桟に再度掛止することによって、商品を陳列用枠体に戻す。
【０００３】
従来、トイレマット、バスマット、又はキッチンマット等のシート状の商品（以下、単に商品という）が販売されている。例えばトイレマットは、広げた状態で載置する置き式、又は吊り下げる吊り式等の方式で陳列される。このような商品は、厚みが薄く、面積が広い。従って、１本の横桟に多数枚の商品を掛け吊り陳列する場合には、各商品は、面方向が陳列用枠体の横桟に直交するように掛け吊りされる。
陳列用枠体の横桟は、売場の通路に沿って配されることが多い。このため、商品を広げた状態で掛け吊り陳列した場合には、掛け吊り陳列されている商品によって通路が狭くなり、通路を通行する買物客に商品が当接し易い、という不都合が生じる。
【０００４】
このような不都合を解消するために、陳列用フックは、折り畳まれた状態の商品に取り付けられる。このとき、商品を、折り畳まれた状態に維持すべく、折り畳まれた商品の互いに対面している部分が、いわゆるピストル打ちによって、一体的に固定される。この結果、１個の陳列用フックを用いて、商品をバランスよく掛け吊り陳列することができる。
【先行技術文献】
【特許文献】
【０００５】
【特許文献１】特許第３６５８７００号公報
【発明の概要】
【発明が解決しようとする課題】
【０００６】
ところが、往々にして買物客には、商品を購入する前に、商品のサイズ、形状、色彩、及び／又は模様等を、商品を広げた状態で確認したいという欲求がある。従って、折り畳まれた状態に維持されたまま掛け吊り陳列されている商品は、買物客の購買意欲を殺ぐ虞がある。
そこで、広げた状態の商品を吟味したい買物客のために、販売者が商品から陳列用フックを取り外すことが考えられる。しかしながら、この場合、陳列用フックを取り外す手間暇を要する分、買物客及び販売者双方の利便性が悪くなる。しかも、陳列用フックを再び商品に取り付けなければ、商品を元のように掛け吊り陳列することができない。
【０００７】
本発明は斯かる事情に鑑みてなされたものであり、その主たる目的は、マット本体が折り畳まれた場合に折目となる部分を中心とした線対称の位置に、２個の掛止部が配される構成とすることにより、マット本体を効率よく掛け吊り陳列することができ、しかも、買物客及び販売者双方の利便性を向上させることができるマットを提供することにある。
【０００８】
本発明の他の目的は、曲直自在になしてある連結部が、２個の取付部を連結する構成とすることにより、作業者の作業性を向上させることができるマット及び陳列用具を提供することにある。
【０００９】
本発明の更に他の目的は、係合部が、互いに係脱自在に係合する構成とすることにより、更に効率よく掛け吊り陳列することができるマット及び陳列用具を提供することにある。
【課題を解決するための手段】
【００１０】
第１発明に係るマットは、二つ折り可能なマット本体と、夫々が外部の陳列用部材に掛止される２個の掛止部とを備え、該２個の掛止部が共に前記陳列用部材に掛止されることによって、前記マット本体が折り畳まれた状態で掛け吊り陳列されるマットであって、前記２個の掛止部は、前記マット本体が折り畳まれた場合に折目となる部分を中心とした線対称の位置に配されるべくなしてあることを特徴とする。
【００１１】
第２発明に係るマットは、夫々が前記マット本体の前記線対称の位置に取り付けられている２個の取付部と、該２個の取付部を連結し、連結した２個の取付部が弧状に接離可能な方向に曲直自在になしてあり、前記折目となる部分に配されている連結部とを更に備え、前記２個の掛止部は、前記陳列用部材に掛止される部分が前記マット本体の面方向に夫々沿うよう前記２個の取付部に１個ずつ配されていることを特徴とする。
【００１２】
第３発明に係るマットは、前記マット本体が折り畳まれた場合に互いに対向配置される部分に１個ずつ配されており、互いに係脱自在に係合する２個の係合部を更に備えることを特徴とする。
【００１３】
第４発明に係る陳列用具は、シート状の商品を掛け吊り陳列するための陳列用具において、夫々が前記商品に取り付けられる２個の取付部と、該２個の取付部に１個ずつ配されており、夫々が外部の陳列用部材に掛止される２個の掛止部と、前記２個の取付部を連結し、連結した２個の取付部が弧状に接離可能な方向に曲直自在になしてある連結部とを備えることを特徴とする。
【００１４】
第５発明に係る陳列用具は、シート状の商品を掛け吊り陳列するための陳列用具において、夫々が商品に取り付けられる２個の取付部と、該２個の取付部に１個ずつ配されており、夫々が外部の陳列用部材に掛止される２個の掛止部と、前記２個の掛止部夫々又は前記２個の取付部夫々の対応する部分に１個ずつ配されており、互いに係脱自在に係合する２個の係合部とを備えることを特徴とする。
【００１５】
第１発明にあっては、２個の掛止部は、マット本体が折り畳まれた場合に折目となる部分（以下、折目部分という）を中心とした線対称の位置（以下、単に線対称の位置という）に配されている。
マット本体が折り畳まれた場合、２個の掛止部は互いに接近し、マット本体の厚み方向に対向配置される。一方、マット本体が延べ開かれた場合、２個の掛止部は互いに離隔する。
【００１６】
販売者又は買物客は、延べ開かれた状態のマット本体を折り畳む。次いで、販売者又は買物客は、２個の掛止部を、陳列用部材（例えば陳列用枠体の横桟）に掛止する。この結果、折り畳まれた状態のマット本体が容易に掛け吊り陳列される。
買物客は、２個の掛止部を陳列用部材から取り外すことによって、折り畳まれた状態のマット本体を陳列用枠体から取り出す。このとき、買物客は、２個の掛止部夫々をマット本体から取り外すことなく、マット本体を広げて吟味する。
【００１７】
第２発明にあっては、マットは、２個の取付部と連結部とを更に備える。換言すれば、第２発明のマットは、マット本体と、第４発明の陳列用具とを備える。陳列用具が装着される商品はマット本体に限定されないが、以下では、マット本体を例示して説明する。
連結部が２個の取付部を連結しているため、２個の取付部は一体的に設けられている。一般的な掛止部は、外部の陳列用部材に掛止される部分が鉤状又は環状等になしてある。
【００１８】
マット本体が折り畳まれた場合、各２個の取付部及び掛止部は互いに接近し、マット本体の厚み方向に対向配置される。一方、マット本体が延べ開かれた場合、各２個の取付部及び掛止部は互いに離隔する。
連結部は、折目部分に配される。しかしながら、連結部が、マット本体の折り畳み及び延べ開きを阻害することはない。何故ならば、連結部は、連結した２個の取付部が弧状に接離可能な方向に曲直自在になしてあるからである。
ところで、各掛止部は、陳列用部材に掛止される部分が、マット本体の面方向に沿うため、対向配置された２個の掛止部同士が当接することによって、マット本体のコンパクトな折り畳みが阻害されることはない。
【００１９】
販売者又は買物客は、延べ開かれた状態のマット本体を折り畳む。次いで、販売者又は買物客は、２個の掛止部を、陳列用部材（例えば陳列用枠体の横桟）に掛止する。この結果、折り畳まれた状態のマット本体が容易に掛け吊り陳列される。
例えば陳列用枠体の横桟にマット本体を掛け吊り陳列した場合、マット本体は、横桟の長手方向とマット本体の面方向とが交差するような姿勢に配される。従って、１本の横桟に、多数枚のマット本体が効率よく掛け吊り陳列される。
買物客は、２個の掛止部を陳列用部材から取り外すことによって、折り畳まれた状態のマット本体を陳列用枠体から取り出す。このとき、買物客は、陳列用具をマット本体から取り外すことなく、マット本体を広げて吟味する。
【００２０】
ところで、陳列用具をマット本体に装着する際、マット本体が折り畳まれた場合に折目となる部分に連結部を配すれば、２個の取付部の内の一方（又は他方）は、線対称の位置の一方（又は他方）に配される。従って、２個の掛止部を線対称の位置に配するための位置決めが容易である。
【００２１】
第３発明にあっては、マットは、２個の係合部を更に備える。換言すれば、第３発明のマットは、マット本体と、例えば第５発明の陳列用具とを備える。陳列用具が装着される商品はマット本体に限定されないが、以下では、マット本体を例示して説明する。
第５発明の陳列用具を用いる場合、２個の取付部は、マット本体の線対称の位置に取り付けられる。一般的な掛止部は、外部の陳列用部材に掛止される部分が鉤状又は環状等になしてある。
マット本体が折り畳まれた場合、各２個の取付部、掛止部、及び係合部は互いに接近し、マット本体の厚み方向に対向配置される。一方、マット本体が延べ開かれた場合、各２個の取付部、掛止部、及び係合部は互いに離隔する。
【００２２】
販売者又は買物客は、延べ開かれた状態のマット本体を折り畳む。次いで、販売者又は買物客は、係合部同士を係合させる。このとき、２個の係合部（延いては陳列用具）は、マット本体を、折り畳まれた状態に容易に維持する。更に、販売者又は買物客は、２個の掛止部を、陳列用部材（例えば陳列用枠体の横桟）に掛止する。この結果、折り畳まれた状態に維持されているマット本体が容易に掛け吊り陳列される。
例えば陳列用枠体の横桟にマット本体を掛け吊り陳列した場合、マット本体は、横桟の長手方向とマット本体の面方向とが交差するような姿勢に配される。従って、１本の横桟に、多数枚のマット本体が効率よく掛け吊り陳列される。
【００２３】
買物客は、２個の掛止部を陳列用部材から取り外すことによって、折り畳まれた状態のマット本体を陳列用枠体から取り出す。次いで、買物客は、係合部同士の係合を解除してから、マット本体を広げて吟味する。このとき、陳列用具をマット本体から取り外す必要はない。
【発明の効果】
【００２４】
第１発明のマットによる場合、マット本体を効率よく掛け吊り陳列することができる。何故ならば、折り畳まれた状態のマット本体を、容易に掛け吊り陳列することができるからである。
しかも、マット本体を吟味する買物客の利便性を向上させることができる。何故ならば、買物客は、マット本体を広げた状態で、マット本体のサイズ及び意匠等を容易に確認することができ、しかも、マット本体を延べ開げるために、マット本体から２個の掛止部を取り外す必要がないからである。更に、マット本体を購入しない場合、買物客は、２個の掛止部をマット本体に再度取り付けることなく、マット本体を容易に元のように掛け吊り陳列することができる。
【００２５】
従って、このようなマットは、販売者の利便性を向上させることができる。何故ならば、マット本体の吟味を所望する買物客のために、販売者が、マット本体から２個の掛止部を取り外す必要がなく、購入されなかったマット本体に、２個の掛止部を再度装着する必要もないからである。つまり、買物客の利便性を向上させるために、販売者の利便性を犠牲にする必要がない。
【００２６】
第２発明のマットによる場合、マットを製造する製造者の作業性を向上させることができる。何故ならば、２個の取付部が一体的に設けられているため、製造者は、２個の取付部を個別に取り扱う必要がないからである。また、連結部を利用することによって、２個の取付部を、所定の位置に容易に配置することができるからである。即ち、２個の掛止部の位置決めが容易である。
しかも、連結部を曲げる（又は伸ばす）ことによって、格別の問題なく、マット本体を折り畳む（又は延べ開く）ことができる。
【００２７】
第３発明のマットによる場合、マット本体を更に効率よく掛け吊り陳列することができる。何故ならば、係合部同士を係合させることによって、折り畳まれた状態に維持されているマット本体を掛け吊り陳列することができるからである。
【００２８】
第４発明の陳列用具又は第５発明の陳列用具による場合、シート状の商品を効率よく掛け吊り陳列することができる。何故ならば、コンパクトに折り畳まれた状態の商品を、容易に、しかも多数枚、掛け吊り陳列することができるからである。
【００２９】
しかも、商品を吟味する買物客の利便性を向上させることができる。何故ならば、買物客は、商品を広げた状態で、商品のサイズ及び意匠等を容易に確認することができ、しかも、商品を延べ開げるために、商品から陳列用具を取り外す必要がないからである。更に、商品を購入しない場合、買物客は、陳列用具を商品に再度取り付けることなく、商品を元のように容易に掛け吊り陳列することができる。
以上の結果、販売者が、商品の吟味を所望する買物客のために、商品から陳列用具を取り外す必要がなく、購入されなかった商品に、陳列用具を再度装着する必要もない。つまり、買物客の利便性を向上させるために、販売者の利便性を犠牲にする必要がない。
【００３０】
更に、第４発明の陳列用具による場合、陳列用具を商品に取り付ける作業者の作業性を向上させることができる。何故ならば、２個の取付部が一体的に設けられているため、作業者は、２個の取付部を個別に取り扱う必要がないからである。また、連結部を利用することによって、２個の取付部を、所定の位置に容易に配置することができる。つまり、２個の掛止部の位置決めが容易である。
しかも、連結部を曲げる（又は伸ばす）ことによって、格別の問題なく、広げられている商品を折り畳む（又は畳まれている商品を延べ開く）ことができる。
【００３１】
更にまた、第５発明の陳列用具による場合、商品を更に効率よく掛け吊り陳列することができる。何故ならば、２個の掛止部（又は２個の取付部）夫々に設けられている係合部同士を係合させることによって、折り畳まれた状態に維持された商品を掛け吊り陳列することができるからである。
【図面の簡単な説明】
【００３２】
【図１】本発明の実施の形態１に係るマットの外観を示す正面図である。
【図２】本発明の実施の形態１に係るマットの外観を示す背面図である。
【図３】本発明の実施の形態１に係る陳列用具の構成を示す分解斜視図である。
【図４】本発明の実施の形態１に係るマットによる掛け吊り陳列を説明する斜視図である。
【図５】本発明の実施の形態２に係るマットによる掛け吊り陳列を説明する正面図である。
【図６】本発明の実施の形態２に係る陳列用具が備える掛止部の構成を示す背面図である。
【図７】本発明の実施の形態３に係るマットの外観を示す正面図である。
【図８】本発明の実施の形態３に係るマットによる掛け吊り陳列を説明する斜視図である。
【発明を実施するための形態】
【００３３】
以下、本発明を、その実施の形態を示す図面に基づいて詳述する。
【００３４】
実施の形態  １．
図１及び図２は、本発明の実施の形態１に係るマット８１の外観を示す正面図及び背面図である。図１においては、図中左側（又は右側）がマット８１の左側（又は右側）である。一方、図２においては、図中左側（又は右側）がマット８１の右側（又は左側）である。
図３は、本発明の実施の形態１に係る陳列用具１１の構成を示す分解斜視図である。
図４は、マット８１による掛け吊り陳列を説明する斜視図である。図４における左右方向は、後述する杆状部材Ｂの長手方向に沿う方向である。
【００３５】
図１、図２、及び図４に示すように、マット８１は、マット本体７１と、２個の掛止部３，３を有する陳列用具１１とを備えている。図１（又は図２）には、マット本体７１の表面（又は裏面）が手前側に配されている状態を示している。
マット本体７１は矩形状になしてあり、図４に示すように、左右方向中央部を中心にして、容易に二つ折りにすることができる。従って、図１及び図２に示すように、マット本体７１が折り畳まれた場合に折目となる部分（以下、折目部分という）７１ａは、マット本体７１の左右方向中央部に位置する。
【００３６】
マット本体７１を購入した買物客は、マット本体７１から陳列用具１１を取り外した後で、マット本体７１を、例えばトイレマットとして使用する。マット本体７１の面方向とは、マット本体７１の表面又は裏面に沿う方向である。
なお、マット本体７１の材質、構造、及び裏表の区別の有無等は特に限定されない。また、マット本体７１の形状は矩形状に限定されないが、マット本体７１の周縁部の内、少なくとも、マット本体７１を掛け吊り陳列する場合に上側に配される部分（以下、上縁部という）が一直線状をなしていることが望ましい。
【００３７】
陳列用具１１は、マット本体７１に装着されることによって、マット本体７１を、図４に示す杆状部材Ｂに掛け吊り陳列するためものである。杆状部材Ｂは、例えば陳列用枠体の横桟、又は横姿勢に配された紐等である。なお、陳列用部材は、杆状部材Ｂに限定されるものではない。
図１〜図４に示すように、陳列用具１１は、２個の取付部２，２と、２個の掛止部３，３と、１個の連結部４とを備えている。ただし、図３に示すように、取付部２，２は、矩形状になしてある連結部４を介して一体に形成されている。
【００３８】
まず、図１〜図３を参照しつつ取付部２，２及び連結部４の構成を説明する。
取付部２は、夫々が矩形状になしてあり、側面視コ字状に配された正面部２１、背面部２２、及び天面部２３を一体に有する。天面部２３には、貫通孔２４が形成されている。貫通孔２４の寸法は、後述する掛止部３の寸法及び形状に応じて適宜に設定される。
連結部４は、左端部（又は右端部）が左方（又は右方）の取付部２の正面部２１の右端部（又は左端部）に一体に形成されている。この結果、連結部４は取付部２，２を連結している。更に、連結部４と正面部２１，２１夫々との境界部分（図３中の二点鎖線で示した部分）は、曲直自在になしてある。
【００３９】
このため、連結部４及び正面部２１，２１は、図４に示すような平面視コ字状に折り曲げられた状態（以下、折り曲げ状態という）から、図１〜図３に示すような平面視一直線状に延べ開かれた状態（以下、延べ開き状態という）へ、容易に変形する。また、連結部４及び正面部２１，２１は、延べ開き状態から折り曲げ状態へ容易に変形する。以上の結果、取付部２，２は、連結部４を中心に、弧状に接離可能となる。
このような取付部２，２及び連結部４は、例えば、コ字状に切り抜かれた合成樹脂シートを適宜に折り曲げることによって形成されている。
なお、連結部４が可撓性を有する構成でもよい。この場合、連結部４と正面部２１，２１夫々との境界部分のみならず、連結部４全体が曲直自在に変形する。
【００４０】
取付部２は、マット本体７１に取り付けられる。具体的には、正面部２１及び背面部２２が、図示しない合成樹脂製の留め具によって、マット本体７１に打ち留められる。このとき、正面部２１（又は背面部２２）は、マット本体７１の表面（又は裏面）に接触配置され、天面部２３は、上縁部に接触配置される。
取付部２は、例えば紙鋏を用いて留め具を破壊することによって、マット本体７１から取り外すことができる。換言すれば、留め具を破壊せずに、マット本体７１から取付部２を取り外すことは困難である。
なお、取付部２は、このような構成に限定されるものではない。例えば、取付部２は、金属製でもよく、正面部２１と背面部２２とが、互いに接離することによって、着脱可能にマット本体７１を挟持する構成でもよい。
【００４１】
次に、各掛止部３の構成を説明する。２個の掛止部３，３は、互いに面対称の構成であり、各掛止部３は、鉤状の吊掛部３１と、棒状の掛止基部３２とを備える。吊掛部３１及び掛止基部３２は、合成樹脂を用いて一体に形成されている。
吊掛部３１は、杆状部材Ｂに掛止される。即ち、吊掛部３１は、本発明の実施の形態における外部の陳列用部材に掛止される部分として機能する。
吊掛部３１は、取付部２の貫通孔２４に挿通されることが可能な太さを有する。掛止基部３２の長手方向の長さは、取付部２の天面部２３の前後方向の長さ及び貫通孔２４の左右方向の長さ夫々よりも長い。吊掛部３１の基端部は、掛止基部３２の長手方向中央部に配されている。吊掛部３１の先端部は、掛止基部３２の上方に配されている。従って、吊掛部３１の向きは、掛止基部３２の長手方向に沿っている。
【００４２】
掛止部３は、取付部２に取り付けられる。このために、吊掛部３１は、取付部２の貫通孔２４に、天面部２３の下面側から挿通され、掛止基部３２は、取付部２の正面部２１及び背面部２２夫々に平行に、天面部２３に接触配置される。
このとき、折目部分７１ａよりも左方に配すべき取付部２に取り付けられる掛止部３は、吊掛部３１が左向きにされ、折目部分７１ａよりも右方に配すべき取付部２に取り付けられる掛止部３は、吊掛部３１が右向きにされる。
つまり、２個の掛止部３，３、延いては２個の吊掛部３１，３１は、左右対称に配される。
【００４３】
なお、掛止部３は、このような構成に限定されるものではない。例えば、掛止部３は、金属製でもよく、吊掛部３１が環状をなしている構成でもよい。また、掛止部３は、吊掛部３１と掛止基部３２とが別体に形成されている構成でもよく、掛止基部３２を有しておらず、吊掛部３１が取付部２に一体に形成されている構成でもよい。
更にまた、掛止部３は、吊掛部３１が、基端部を中心に回動自在な構成でもよい。この場合、後述するように陳列用具１１を製造する際に、吊掛部３１の向きを間違えた状態で陳列用具１１を製造したとしても、製造後に、吊掛部３１を正しい向きに修正することができる。また、吊掛部３１，３１夫々の向きを調節することによって、マット本体７１の陳列態様を変更することができる。
【００４４】
製造者は、取付部２，２に掛止部３，３を取り付けることによって、陳列用具１１を製造する。製造された陳列用具１１は、図１及び図２に示すように、連結部４を中心に、左右対称である。
次いで、製造者は、陳列用具１１をマット本体７１に装着することによって、マット８１を製造する。
【００４５】
更に詳細には、製造者は、マット本体７１の表面側における上縁部の左右方向中央部（即ち、マット本体７１の表面側における折目部分７１ａの上端部）に、連結部４が配置されるように、マット本体７１の左側部の上縁部に一方の取付部２を取り付け、マット本体７１の右側部の上縁部に他方の取付部２を取り付ける。即ち、２個の取付部２，２は、折目部分７１ａを中心とした線対称の位置に取り付けられる。このとき、２個の掛止部３，３は、折目部分７１ａを中心とした線対称の位置に配される。
陳列用具１１が装着されたマット本体７１（即ちマット８１）は、折目部分７１ａを中心に、左右対称である。また、各吊掛部３１の掛止基部３２からの突設方向は、マット本体７１の面方向に沿う。
【００４６】
販売者又は買物客は、延べ開かれていたマット本体７１を、マット本体７１の表面を表側にして、折目部分７１ａの位置で二つ折りにする。このとき、マット本体７１の裏面の左側部及び右側部が対面する。
図１に示すように、取付部２，２の正面部２１，２１間には連結部４が存在するが、図２に示すように、背面部２２，２２間には空隙が存在する。このため、マット本体７１は、マット本体７１の裏面を表側にして折り畳むよりも、マット本体７１の表面を表側にして折り畳む方が容易である。
【００４７】
延べ開かれていたマット本体７１が折り畳まれた場合、マット本体７１の変形に応じて陳列用具１１が折り曲げ状態になる。この結果、陳列用具１１及びマット本体７１は、図４に示す状態になる。このとき、各２個の取付部２，２及び掛止部３，３は互いに接近して、マット本体７１の厚み方向に対向配置され、取付部２，２の背面部２２，２２は互いに対面する。
吊掛部３１，３１は、夫々マット本体７１の面方向に沿う。このため、掛止部３，３が互いに接近することによっても、吊掛部３１，３１が当接することはない。即ち、掛止部３，３がマット本体７１の折り畳みを阻害することはない。
【００４８】
２個の掛止部３，３、延いては吊掛部３１，３１は、前後方向の同一位置に配され、且つ、左右方向の一直線状に並置される。しかも、吊掛部３１，３１が両方とも奥側向きになる。
従って、吊掛部３１，３１を、杆状部材Ｂの手前側から奥側へ掛止することが容易である。即ち、販売者又は買物客が、掛止部３，３を杆状部材Ｂに掛止することによって、折り畳まれた状態のマット本体７１を掛け吊り陳列することが容易である。
マット本体７１は、面方向が杆状部材Ｂの長手方向に直交する姿勢で掛け吊り陳列されるため、１本の杆状部材Ｂに、多数枚のマット本体７１，７１，…を掛け吊り陳列することが容易である。換言すれば、多数枚のマット本体７１，７１，…が、効率よく掛け吊り陳列される。
【００４９】
一方、買物客は、掛止部３，３を杆状部材Ｂから取り外すことによって、掛け吊り陳列されているマット本体７１を取り出し、折り畳まれているマット本体７１を延べ開いて、吟味する。
折り畳まれていたマット本体７１が延べ開かれた場合、マット本体７１の変形に応じて陳列用具１１が延べ開き状態になる。この結果、陳列用具１１及びマット本体７１は、図１及び図２に示す状態になる。このとき、２個の掛止部３，３は互いに離隔する。
このようにマット本体７１が広げられている場合、買物客は、マット本体７１のサイズ、形状、並びに、表面及び裏面夫々の色彩及び模様等を、容易に確認することができる。
【００５０】
マット本体７１を購入した後、取付部２，２をマット本体７１から取り外すことによって、買物客は、陳列用具１１をマット本体７１から容易に取り外すことができる。この後、マット本体７１から取り外した陳列用具１１を、新たな留め具を用いて、他のマット本体７１に再度装着してもよい。即ち、陳列用具１１は、再利用が可能である。
【００５１】
ところで、マット本体７１は、マット本体７１に埃及び塵等の異物が付着することを防止するために、合成樹脂フィルムを用いてなる包装袋で包装されることが多い。このようなマット本体７１を、従来の陳列用フックを用いて陳列する場合、従来の陳列用フックは、折り畳まれた状態で包装袋に包まれているマット本体７１に一体的に固定される。このため、広げた状態のマット本体７１を吟味することが更に困難である。
ところが、陳列用具１１は、図示しない包装袋に包まれたマット本体７１に取付部２，２が取り付けられている場合であっても、包装袋に包まれたマット本体７１の折り畳み及び延べ開きを一切阻害しない。
【００５２】
なお、陳列用具１１は、連結部４を備えていない構成でもよい。この場合も、陳列用具１１が連結部４を備えている場合と同様に、マット本体７１の折り曲げ、延べ開き、及びマット８１の吊り下げ陳列が容易である。
しかも、連結部４を備えていない陳列用具１１は、マット本体７１とはサイズ及び／又は形状が異なるマット本体にも、格別の問題なく装着することができる。仮に、連結部４を備えている陳列用具１１を、その左右方向の長さがマット本体７１よりも長いマット本体に取り付けた場合、吊り下げ陳列されたマット本体のバランスが悪くなる虞がある。
【００５３】
ただし、連結部４を備えていない陳列用具１１は、連結部４を備えている陳列用具１１よりも、製造者の作業性が悪い。何故ならば、陳列用具１１をマット本体７１に装着する際、作業者は、取付部２，２を個々に手に取る必要があるからである。しかも、マット本体７１を折り畳んだときに掛止部３，３が正しく対向配置されるように取付部２，２夫々を位置決めしてから、陳列用具１１をマット本体７１に装着する必要があるからである。
【００５４】
実施の形態  ２．
図５は、本発明の実施の形態２に係るマット８１による掛け吊り陳列を説明する正面図である。
図６は、本発明の実施の形態２に係る陳列用具１１が備える掛止部３０１，３０２の構成を示す背面図である。
本実施の形態のマット８１及び陳列用具１１は、実施の形態１のマット８１及び陳列用具１１に類似した構成である。ただし、本実施の形態における陳列用具１１は、実施の形態１の掛止部３，３に替えて、掛止部３０１，３０２を備えている。その他、実施の形態１に対応する部分には同一符号を付してそれらの説明を省略する。
【００５５】
掛止部３０１，３０２夫々は、実施の形態１の掛止部３，３と略同様の構成であり、夫々が吊掛部３１及び掛止基部３２を備える。ただし、少なくとも吊掛部３１は可撓性を有する。
また、掛止部３０１は、折目部分７１ａよりも左方に配すべき取付部２に取り付けられており、掛止部３０２は、折目部分７１ａよりも右方に配すべき取付部２に取り付けられている。
【００５６】
掛止部３０１の吊掛部３１には、凸状の係合部３４が一体に設けられており、掛止部３０２の吊掛部３１には、凹状の係合部３３が一体に設けられている。更に詳細には、係合部３３，３４は、吊掛部３１，３１の、マット本体７１が折り畳まれた場合に互いに対向配置される部分に配置されている。
係合部３３，３４は、凹凸の嵌脱によって互いに係脱自在に係合する合成樹脂製のスナップである。
【００５７】
なお、係合部３３，３４は、スナップに限定されるものはない。例えば、係合部３３，３４は、一方が磁石を用いてなり、他方が鉄板を用いてなる構成でもよい。また、係合部３３，３４は、一方が鉤状の掛け金を用いてなり、他方が環状の受け金を用いてなる構成でもよい。
更に、係合部３３，３４は、マット本体７１が折り畳まれた場合に互いに対向配置される部分であれば、取付部２に設けられていてもよい。この場合、係合部３３，３４は、取付部２，２の背面部２２，２２に設けられる。
【００５８】
販売者又は買物客は、延べ開かれていたマット本体７１を、マット本体７１の表面を表側にして、折目部分７１ａの位置で二つ折りにする。このとき、係合部３３，３４は互いに接近して、マット本体７１の厚み方向に対向配置される。
次に、販売者又は買物客は、吊掛部３１，３１を撓ませることによって、係合部３３，３４同士を更に接近させる。最後に、販売者又は買物客は、互いに接触した係合部３３，３４を係合させる。この結果、マット本体７１は、折り畳まれた状態に維持される。
【００５９】
販売者又は買物客が、係合部３３，３４の係合によって一体的なものとなった吊掛部３１，３１を、杆状部材Ｂに掛止することは容易である。しかも、マット本体７１が、例えばマット本体７１の弾性によって、無用に広がることがない。従って、多数枚のマット本体７１，７１，…が、更に容易かつ効率よく、掛け吊り陳列される。
一方、買物客は、掛止部３，３を杆状部材Ｂから取り外すことによって、掛け吊り陳列されているマット８１を取り出し、次に、係合部３３，３４の係合を解除してから、折り畳まれているマット本体７１を延べ開く。
【００６０】
実施の形態  ３．
図７は、本発明の実施の形態３に係るマット８２の外観を示す正面図である。
図８は、マット８２による掛け吊り陳列を説明する斜視図である。図８における左右方向は、杆状部材Ｂの長手方向に沿う方向である。
マット８２は、マット本体７２と陳列用具１２とを備えている。本実施の形態のマット本体７２及び陳列用具１２は、実施の形態１，２のマット本体７１及び陳列用具１１に対応する。
【００６１】
本実施の形態のマット本体７２は、図７に示すように、短冊形になしてある。
マット本体７２は、図８に示すように、長手方向中央部を中心にして、容易に二つ折りにすることができる。従って、図７に示すように、マット本体７２の折目部分７２ａは、マット本体７２の長手方向中央部に位置する。マット本体７２を、折目部分７２ａの位置で折り畳んだ場合、マット本体７２の四辺部の内、短辺部同士が、マット本体７２の厚み方向に対向配置される。なお、マット本体７２の材質、構造、用途、裏表の区別の有無、及び形状等は特に限定されない。
【００６２】
陳列用具１２は、マット本体７２に装着されることによって、マット本体７２を、杆状部材Ｂに掛け吊り陳列するためものである。
図７及び図８に示すように、陳列用具１２は、２個の取付部５１，５１と、２個の掛止部５２，５２とを備える。取付部５１，５１及び掛止部５２，５２夫々は、個別の部材を用いてなり、実施の形態１の取付部２，２及び掛止部３，３と略同様の構成である。ただし、連結部４に相当するものは存在しない。
なお、取付部５１，５１又は掛止部５２，５２夫々の対応する部分に１個ずつ、互いに係脱自在に係合する２個の係合部が配されていてもよい。この２個の係合部は、実施の形態２の係合部３３，３４と同様に機能する。
【００６３】
製造者は、実施の形態１の取付部２に掛止部３を取り付ける場合と同様にして、取付部５１に掛止部５２を取り付ける。次いで、製造者は、実施の形態１の取付部２をマット本体７１に取り付ける場合と同様にして、マット本体７２の２本の短辺部の左右方向中央部に取付部５１，５１を個々に取り付ける。このとき、製造者は、掛止部５２，５２が左向きになるようにする。即ち、２個の取付部５１，５１は、折目部分７２ａを中心とした線対称の位置に取り付けられる。また、各掛止部５２の杆状部材Ｂに掛止される部分は、マット本体７２の面方向に沿って配される。
このように製造された陳列用具１２、及び、陳列用具１２が装着されたマット本体７２は、図７に示すように、折目部分７２ａを中心に、上下対称である。
【００６４】
販売者又は買物客は、延べ開かれていたマット本体７２を、折目部分７２ａの位置で二つ折りにする。
延べ開かれていたマット本体７２が折り畳まれた場合、陳列用具１２及びマット本体７２は、図８に示す状態になる。このとき、２個の掛止部５２，５２は互いに接近して、マット本体７２の厚み方向に対向配置される。また、２個の掛止部５２，５２は、前後方向の同一位置に配され、且つ、左右方向の一直線状に並置される。しかも、吊掛部３１，３１が両方とも奥側向きになる。
【００６５】
従って、販売者又は買物客が、杆状部材Ｂの手前側から奥側へ掛止部５２，５２を掛止することによって、マット本体７２が折り畳まれた状態のマット８２を掛け吊り陳列することが容易である。
マット本体７２は、面方向が杆状部材Ｂの長手方向に直交する姿勢で掛け吊り陳列されるため、１本の杆状部材Ｂに、多数枚のマット本体７２，７２，…を掛け吊り陳列することが容易である。
【００６６】
一方、買物客は、掛止部５２，５２を杆状部材Ｂから取り外すことによって、掛け吊り陳列されているマット本体７２を取り出し、折り畳まれているマット本体７２を延べ開いて、吟味する。
折り畳まれていたマット本体７２が延べ開かれた場合、陳列用具１２及びマット本体７２は、図７に示す状態になる。このとき、２個の掛止部５２，５２は互いに離隔する。
このようにマット本体７２が広げられている場合、買物客は、マット本体７２のサイズ、形状、色彩、及び模様等を、容易に確認することができる。
マット本体７２を購入した後、取付部５１，５１をマット本体７２から取り外すことによって、買物客は、陳列用具１２をマット本体７２から容易に取り外すことができる。この後、マット本体７２は、例えばキッチンマットとして使用される。
【００６７】
なお、実施の形態１，２の各取付部２，５１を、マット８１，８２のヘッダとして用いてもよい。この場合、取付部２，５１の表面に、例えばマット本体７１，７２の商品名及び品質表示等が印刷される。
【００６８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、本実施の形態１〜３における陳列用具１１，１２を装着すべき商品は、マット本体７１，７２に限定されるものではなく、二つ折り可能なシート状の商品であれば、ハンドタオル又はズボン等であってもよい。
また、本発明の効果がある限りにおいて、マット８１，８２及び陳列用具１１，１２に実施の形態１〜３に開示されていない構成要素が含まれていてもよい。
【符号の説明】
【００６９】
１１，１２  陳列用具
２，５１  取付部
３，３０１，３０２，５２  掛止部
３３，３４  係合部
４  連結部
７１，７２  マット本体（商品）
８１，８２  マット
Ｂ  杆状部材（陳列用部材）
【図１】
2011120651.tif 000003
【図２】
2011120651.tif 000004
【図３】
2011120651.tif 000005
【図４】
2011120651.tif 000006
【図５】
2011120651.tif 000007
【図６】
2011120651.tif 000008
【図７】
2011120651.tif 000009
【図８】
2011120651.tif 000010